(57)【要約】【課題】    携帯用品に直接貼り付けるものであって、任意形態にデザインされた装飾模様が使用中に剥がれたりすることがないシールアクセサリーを提供すること。【解決手段】    透明フィルムによる表面シート１に第１の粘着剤を塗布し、第１の粘着剤の塗布面に装飾資材３を用いて任意の形状にデザインした装飾模様１０を形成する。装飾資材３の裏面に第２の粘着剤を塗布して表面シート１とともにセパレーター５に剥離可能に接合する。装飾資材３に塗布した第２の粘着剤の粘着力を表面シート１に塗布した第１の粘着剤よりも強く形成する。表面シート１をセパレーター５から剥がし、装飾模様１０を表面シート１とともに携帯用品２０に貼り付け、装飾模様１０が携帯用品２０に固定できたら表面シート１は剥がす。携帯用品２０は携帯電話機である。【選択図】    図１
0003110777.tif 000002
【実用新案登録請求の範囲】
【請求項１】
透明プラスチックフィルムによる表面シート（１）に第１の粘着剤を塗布し、該第１の粘着剤の塗布面に装飾資材（３）を用いて任意の形状にデザインした装飾模様（１０）を形成し、上記装飾資材の裏面に第２の粘着剤を塗布して上記表面シートとともにセパレーター（５）に剥離可能に接合したものであって、上記第２の粘着剤の粘着力を上記第１の粘着剤よりも強く形成したことを特徴とする携帯用品のためのシールアクセサリー。
【請求項２】
装飾模様（１０）を形成する装飾資材（３）は、第２の粘着剤を塗布する面が平坦に形成したことを特徴とする請求項１に記載の携帯用品のためのシールアクセサリー。
【考案の詳細な説明】
【技術分野】
【０００１】
本考案は、携帯用品のためのシールアクセサリーに関しており、主として携帯電話機に使用するシールアクセサリーに関している。
【背景技術】
【０００２】
携帯電話機のアクセサリーとして好まれているのは専らストラップであるが、携帯電話機の本体に直接貼り付けるアクセサリーも特許文献１によって提案されている。
【０００３】
【特許文献１】実用新案登録第３０９７６１３号公報
【０００４】
特許文献１の考案は、カメラ機能付き携帯電話機２のレンズ部分３の周囲に、該レンズ部分３と重なり合わない態様で蓋つきのレンズ保護部材１を張付け材料４によって着脱自在に設けたものであって、レンズ保護部材１が、レンズ部分３を保護するとともにアクセサリーとしても機能するようにしたものである。
【０００５】
特許文献１の考案は、携帯電話機のカメラレンズを汚損又は破損から保護するためのものであって、アクセサリー機能も備えており、アクセサリー効果を高めるために擬似宝石５を配置する等の工夫がなされているものである。
【０００６】
また、特許文献１の考案は、携帯電話機にアクセサリーとしてのレンズ保護部材１を直接貼り付ける点でストラップとは趣が異なるものであるが、レンズ部分の保護が目的であるから自ずと形態も限定されており趣味的な満足感が薄いだけでなくが、レンズ保護部材１が張付け材料４によって着脱自在に接着されているために、携帯電話機の使用中にレンズ保護部材１が剥がれてしまうおそれがある。
【０００７】
従来技術では、携帯用品、例えば携帯電話機に直接貼り付けて楽しむアクセサリーは提案されたことがなかった。
【考案の開示】
【考案が解決しようとする課題】
【０００８】
本考案は、携帯用品に直接貼り付けるものであって、任意形態にデザインされた装飾模様が使用中に剥がれたりすることがなく、しかも趣味的な満足感も得られるシールアクセサリーを提供することを課題としている。
【課題を解決するための手段】
【０００９】
解決手段の第１は、透明プラスチックフィルムによる表面シートに第１の粘着剤を塗布し、該第１の粘着剤の塗布面に装飾資材を用いて任意の形状にデザインした装飾模様を形成し、上記装飾資材の裏面に第２の粘着剤を塗布して上記表面シートとともにセパレーターに剥離可能に接合したものであって、上記第２の粘着剤の粘着力を上記第１の粘着剤よりも強く形成したことを特徴とするものである。
【００１０】
解決手段の第２は、解決手段の第１において、装飾模様を形成する装飾資材が第２の粘着剤を塗布する面を平坦に形成したことを特徴とするものである。
【考案の効果】
【００１１】
請求項１は、表面シートの第１の粘着剤の塗布面に装飾資材を用いてデザインされた装飾模様が、該装飾模様の裏面に第２の粘着剤を塗布して上記表面シートとともにセパレーターに剥離可能に接合されたものであるから、使用する時は、表面シートをセパレーターから剥がして携帯用品に表面シートごと貼り付け、その後は表面シートを剥がすが、装飾模様は使用されるまで表面シートとセパレーターに挟まれているので、装飾模様のデザインが型崩れを起すことがなく安定した状態を維持できる効果がある。
【００１２】
請求項２は、装飾模様を形成する装飾資材の第２の粘着剤塗布面を平坦に形成したものであるから、携帯用品に貼り付ける装飾資材の接地面積が広くなり、使用中に装飾模様が剥がれたりすることがないことの効果がある。
【考案を実施するための最良の形態】
【００１３】
図１は、本考案のシールアクセサリーを示す斜視図であり、図２は同断面図であり、図３はシールアクセサリーを携帯電話機に使用した状態を示す斜視図である。
【００１４】
これらの図において、１は透明プラスチックフィルムによる表面シートであって、裏面に第１の粘着剤２が塗布されており、該第１の粘着剤２の塗布面に装飾資材３を用いて任意の形状にデザインした装飾模様１０が形成されたものである。なお、装飾資材３の裏面には第２の粘着剤４が塗布されており、当該装飾資材３は表面シート１とともにセパレーター５に剥離可能に接合されている。
【００１５】
装飾資材３は、携帯用品２０に直接貼り付けるものであるから、少なくとも第２の粘着剤４を塗布する面は平坦であることが要求される。装飾資材３は、一例としてガラス粒により模造宝玉形状に形成したものであり、断面形状を含めて任意の形状でよいが、携帯用品２０に直接貼り付けるのに適した大きさに形成されることが要求される。なお、実施形態において、携帯用品２０は携帯電話機である。
【００１６】
また、装飾資材３は、表面シート１とともに携帯用品２０に貼り付けた後、表面シート１を剥がして装飾資材３のみを装飾模様１０として携帯用品２０の表面に残すものであるから、第２の粘着剤４の粘着力を第１の粘着剤２よりも強く形成している。
【００１７】
本考案は、上記の構成からなるものであって、表面シート１の粘着剤２の塗布面に装飾資材３によってデザインされた装飾模様１０が形成されているから、表面シート１をセパレーター５から剥がすと装飾模様１０が当該表面シート１に付着してくる。次いで、携帯用品２０に、表面シート１は第１の粘着剤２により、装飾模様１０（装飾資材３）は第２の粘着剤４によってそれぞれ貼り付ける。
【００１８】
第２の粘着剤４は、第１の粘着剤２よりも粘着力が強く形成されているので、携帯用品２０に表面シート１及び装飾模様１０が貼り付けられた後、表面シート１を剥がすと装飾模様１０のみが携帯用品２０上に残り、当該携帯用品２０に好みのデザインによる装飾模様１０が形成されるものである。
【００１９】
実施形態において、装飾資材３の裏面に塗布した第２の粘着剤４は、表面シート１に塗布した第１の粘着剤２よりも粘着力が強いものを塗布しているが、使用時に、装飾資材３の裏面（接着面）に市販の接着剤を塗布してから貼り付けることができ、この場合は、装飾模様１０を強固に貼り付けることができることになる。
【００２０】
実施形態において、装飾資材３は、一例としてガラス粒により模造宝玉形状に形成したものであると説明したが、ガラス粒を直径２〜３ｍｍ，高さ１〜１．５ｍｍ程度の大きさに形成したものを使用すれば、装飾模様１０のデザインが多岐にわたる変化に富んだ造形物が得られる。
【００２１】
また、実施形態において、携帯用品２０が携帯電話機であると説明したが、携帯用品２０は携帯電話機に限るものではなく、鞄あるいは靴など他の用品が含まれることは勿論である。
【図面の簡単な説明】
【００２２】
【図１】本考案のシールアクセサリーを示す斜視図。
【図２】図１の断面図。
【図３】シールアクセサリーを携帯電話機に使用した状態を示す斜視図。
【符号の説明】
【００２３】
１  表面シート
２  第１の粘着剤
３  装飾資材
４  第２の粘着剤
５  セパレーター
１０  装飾模様
２０  携帯用品
【図１】
0003110777.tif 000003
【図２】
0003110777.tif 000004
【図３】
0003110777.tif 000005